(57)【要約】【課題】  光源のメンテナンスと蓄電池の容量の点検作業とを同時に行うことができ、かつ、点検結果を表示する表示部が通常の使用状態において下方より認識できない照明器具を供給することにある。【解決手段】本体の前面側に取付けられ周辺が非透光材料で形成される枠部を有するカバー５を備えた非常用照明器具において、カバー５が外れたことを検出して点検信号を出力するカバー外れ検出部７と、このカバー外れ検出部７が出力した点検信号により制御部４が蓄電池３の容量を点検しその結果を表示する表示部８と、を設け、カバー５を本体２に取付けた状態において表示部８はカバー５の枠部の裏側に配置されるものとした照明器具。【選択図】        図１
2006210028.tif 000002
【特許請求の範囲】
【請求項１】
光源を収納する本体と、電源遮断状態に前記光源に電力を供給する蓄電池と、点検信号を受けることで前記蓄電池の容量を点検する制御部と、前記本体の前面側に取付けられ周辺が非透光材料で形成される枠部を有するカバーと、を備えた照明器具において、前記カバーが外れたことを検出して点検信号を出力するカバー外れ検出部と、このカバー外れ検出部が出力した点検信号により前記制御部が前記蓄電池の容量を点検しその結果を表示する表示部と、を設け、カバーを本体に取付けた状態において前記表示部はカバーの枠部の裏側に配置されるものとしたことを特徴とする照明器具。
【発明の詳細な説明】
【技術分野】
【０００１】
本発明は、停電時等に点灯する非常用の照明器具に関する。
【背景技術】
【０００２】
この種の照明器具としては、特開２０００−３４００２８号公報に開示されたものがある。
このものは、蓄電池と、蓄電池により点灯する光源を保持した本体と、電源を遮断状態にして光源が蓄電池により点灯するかを確認する点検スイッチと、本体の下方開口を覆って取付けられる透光性材料からなるカバーと、を備えて構成されたものである。そして。点検スイッチをカバーと本体との当接面に設けることで、カバーが本体に当接しているときは、点検スイッチがカバーにより押されることにより、点検スイッチの接点が閉じて電源供給状態（通常状態）になり、カバーが本体に当接していないときは、点検スイッチがカバーにより押されていないことにより、点検スイッチの接点が開いて電源遮断状態（蓄電池にて点検状態）になるものである。
【０００３】
このものは、カバーを外すだけで光源が蓄電池により点灯するかを確認できるので、点検作業性が向上でき、確実に点検作業を行うことができる。また、点検中の照明器具はカバーが外された状態になっている為、例え、高所に設けられていても、一目で点検中であることがわかるものとなる。
【０００４】
また、停電時等に蓄電池により点灯する非常用の照明器具には、蓄電池が光源を規定の時間点灯できる能力を維持しているかを確認することができる制御部を有し、その点検結果をモニターランプに表示できるものがあった。
【特許文献１】特開２０００−３４００２８号公報
【発明の開示】
【発明が解決しようとする課題】
【０００５】
特開２０００−３４００２８号に記載されたものは、電源遮断状態に光源が蓄電池で点灯するかを目視で確認するのみで、蓄電池が光源を規定の時間点灯できる能力を維持しているかを確認することはできなかった。
一方、停電時等に蓄電池により点灯する非常用の照明器具は、この機能を備えているが点検の開始にわざわざ所定のスイッチをＯＮさせるなどの作業が必要であり、非常用の照明器具の光源のメンテナンスと蓄電池の点検作業とを同時に行うことはできなかった。さらに点検結果をＬＥＤを用いた表示部で表示して下方より認識できるようにしているので通常の使用状態においてこの表示部の見えることが意匠的に好ましいものではなかった。
【０００６】
本発明は、上記事由に鑑みてなしたもので、その課題は、光源のメンテナンスと蓄電池の容量の点検作業とを同時に行うことができ、かつ、点検結果を表示する表示部が通常の使用状態において下方より認識できない照明器具を供給することにある。
【課題を解決するための手段】
【０００７】
以上のことにより、本発明の請求項１に係る発明の照明器具は、光源を収納する本体と、電源遮断状態に前記光源に電力を供給する蓄電池と、点検信号を受けることで前記蓄電池の容量を点検する制御部と、前記本体の前面側に取付けられ周辺が非透光材料で形成される枠部を有するカバーと、を備えた照明器具において、前記カバーが外れたことを検出して点検信号を出力するカバー外れ検出部と、このカバー外れ検出部が出力した点検信号により前記制御部が前記蓄電池の容量を点検しその結果を表示する表示部と、を設け、カバーを本体に取付けた状態において前記表示部はカバーの枠部の裏側に配置されるものとしたことを特徴とする。
【発明の効果】
【０００８】
請求項１記載の発明にあっては、光源を収納する本体と、電源遮断状態に前記光源に電力を供給する蓄電池と、点検信号を受けることで前記蓄電池の容量を点検する制御部と、前記本体の前面側に取付けられ周辺が非透光材料で形成される枠部を有するカバーと、を備えた照明器具において、前記カバーが外れたことを検出して点検信号を出力するカバー外れ検出部と、このカバー外れ検出部が出力した点検信号により前記制御部が前記蓄電池の容量を点検しその結果を表示する表示部と、を設け、カバーを本体に取付けた状態において前記表示部はカバーの枠部の裏側に配置されるものとしたことにより、光源のメンテナンスと蓄電池の容量の点検作業とを同時に行うことができ、かつ、点検結果の表示部が通常の使用状態において下方より認識できないものとなる。
【発明を実施するための最良の形態】
【０００９】
（実施の形態）
本発明の実施の形態を図１、図２を用いて説明する。図１は照明器具のカバーを取付たときの断面図、図２はカバーを外したときの断面図、図３は、ブロック配線図である。
【００１０】
この照明器具は電源１０が遮断状態になったときに光源１が法令で定められた時間点灯する非常用の照明器具である。
この照明器具は、光源１を収納する本体２と、電源１０の遮断状態に光源１に電力を供給する蓄電池３と、点検信号を受けることで蓄電池３の容量を点検する制御部４と、本体２の前面側に取付けられ周辺が非透光材料で形成される枠部を有するカバー５と、充電モニタ９と、を備えて構成されている。ここで電源１０は、例えばＡＣ１００Ｖの商用電源である。
【００１１】
光源１は、ハロゲン電球であり電源１０の遮断状態に点灯する。
本体２は、有底円筒状をなしその内部には、光源１、本体２、蓄電池３、制御部４が収納されている。そして、本体２は、天井板の取り付け孔に挿通して取付けられるよう、その開口部周縁には、外方へ突出する鍔部を備えている。
蓄電池３は、ニッケル水素蓄電池で電源１０が遮断されたときに光源１を法令で定められた時間点灯させることができる容量（ＶＡ）を持つものであるが、その寿命末期には、この容量が維持できなくなる特性を有するものである。
制御部４は、点検信号を受けることで蓄電池３の容量が点検できるように電子部品で所定の回路が構成されたものである。
【００１２】
カバー５は、本体２の前面側に取付けられるものである。そしてカバー５は、周辺が非透光材料で形成される枠状ものである。カバー５は、その一部に設けられた凸部を本体に凹状に設けられた係合部に嵌合係止することで本体２に取付けられている。そして、カバー５は、その片側に落下防止用の金具が設けられており、カバー５を本体２から取り外した状態では、図２に示すようにカバー５が落下防止用の金具にぶら下がった状態になる。
充電モニタ９は、蓄電池３が充電中であることを表示するものであり、ＬＥＤ光源が使われている。
【００１３】
ここで重要なことは、カバー５が外れたことを検出して点検信号を出力するカバー外れ検出部７を設けたことである。さらに、このカバー外れ検出部７が出力した点検信号により制御部４が蓄電池３の容量を点検しその結果を表示する表示部８を設け、この表示部８をカバー５が本体２に取付けられた状態においてカバー５の枠部の裏側に配置したことである。
【００１４】
これを詳しく説明すると、カバー外れ検出部７は、所定の部位に圧力が加わったときに開放、所定の部位の圧力がなくなったときに短絡する接点機構が内蔵されたマイクロスイッチであり、この接点が短絡状態になったときに点検信号が出力されたとしている。
そして、この点検信号を受けた制御部４が蓄電池３の容量を点検する。このときに制御部４は、蓄電池３を抵抗などの擬似負荷を用いて放電し、このときの蓄電池３の電源電圧の時間的な推移より、この蓄電池３が光源１を所定の時間点灯させるだけの容量を備えたものであるかを判定している。こうすることで蓄電池３の容量が点検できるものとなる。
【００１５】
さらに表示部８は、制御部４の点検結果を表示できるようＬＥＤ光源で構成され、点検の結果が良好であれば緑色に点灯し、点検の結果が不良であれば赤色に点灯するもので形成されている。そして、この表示部８は、図１に示すようにカバー５が本体２に取付けられた状態において、カバー５の枠部の裏側に配置されている。
【００１６】
次に、この照明器具の光源のメンテナンスを説明する。
まず、図２のようにカバー５を開ける（取り外す）。そして、古くなった光源１を交換する。このときカバー外れ検出部７の所定の部位に加わっていた圧力が開放され、カバー外れ検出部７（マイクロスイッチ）の接点が短絡状態になる。（ここでは、これを点検信号が出力されたとしている。）この点検信号を受けて制御部４は、蓄電池３の容量の点検を開始する。次に、作業者は、別の同じ構成の照明器具の光源１を交換する。同様に、別の照明器具の制御部４は、蓄電池３の容量の点検を開始する。作業者は、順次この手順で別の同じ構成の照明器具の光源１の交換を行う。このようにしてメンテナンスを行う全ての照明器具の光源１の交換を行う。
【００１７】
その後、作業者は、最初に光源１を交換した照明器具の表示部８を確認し、これが緑色に点灯していればそのままカバー５を本体２に取付けてこの照明器具のメンテナンスを終了させる。このとき表示部８が赤色に点灯していれば蓄電池３を交換した後にカバー５を本体２に取付けてこの照明器具のメンテナンスを終了させる。この作業を全ての照明器具にわたって行う。
以上の手順でメンテナンスは、終了である。
【００１８】
この実施の形態によると、カバー５が外れたことを検出して点検信号を出力するカバー外れ検出部７と、このカバー外れ検出部７が出力した点検信号により制御部４が蓄電池３の容量を点検しその結果を表示する表示部８と、を設けカバー５を本体２に取付けた状態において表示部８はカバー５の枠部の裏側に配置されたものとしたことにより、光源１のメンテナンスでカバー５を外したときに制御部４が蓄電池３の容量を点検しその結果を表示部８が表示するので光源１のメンテナンスと蓄電池３の容量の点検作業とを同時に行うことができる。さらに表示部８はカバー５を本体２に取付けた状態においてカバー５の非透光材料で形成された枠部の裏側に配置されているので、通常の使用状態であるカバー５を本体２に取付けた状態では、表示部８は下方より認識できないものとなる。
【００１９】
そして表示部８が下方より認識できないようになったことで、非常用の照明器具に良く用いられる蓄電池３が充電中であることを示す充電モニタ９との混同を避けることが可能となる。
【００２０】
なお、この実施の形態においてカバー外れ検出部７が出力した点検信号により制御部４が蓄電池３の容量を点検するものとしたが、この点検信号は、この照明器具への電源供給を遮断することでもよく、制御部４は、電源が遮断されたことを点検信号としこれを検知して実際に光源１を蓄電池３で点灯させその点灯時間で蓄電池３の容量を点検するものでもよい。
【００２１】
また、カバー外れ検出部７は、カバーの圧力の有、無で動作するもので説明したが、カバー５の存在を光で検出するもの、電気的に検出するものなど他の手段で検出するものでもかまわない。
【図面の簡単な説明】
【００２２】
【図１】本発明の実施の形態に係る図で、照明器具のカバーを取付たときの断面図である。
【図２】同上の照明器具のカバーを外したときの断面図である。
【図３】同上の照明器具のブロック図である。
【符号の説明】
【００２３】
１    光源
２    本体
３    蓄電池
４    制御部
５    カバー
７    カバー外れ検出部
８    表示部
【図１】
2006210028.tif 000003
【図２】
2006210028.tif 000004
【図３】
2006210028.tif 000005